(57)【特許請求の範囲】
【請求項１】
頭付ボルトの緩み止めの構造において、頭付ボルト（１）のボルト頭部上面（３）に上部材（１７）のボルト孔（１８）の直径と同寸法の円形の罫描線を描き、この線上の１８０°相対する２ケ所の位置よりボルト頭部（２）を貫通して、そのボルト頭部下面（４）より深くまで垂直に２本の錐孔（５）を穿孔しておき、頭付ボルトを上部材（１７）のボルト孔（１８）を通して、下部材（２０）にねじ込んだ後、この２本の錐孔を通して上部材のボルト孔の入口角部（１９）に向って、２本の釘（７）を挿入し、その釘の先端楔部（８）が入口角部（１９）に接するまで降下させ、次にボルト頭部の中央の小ねじ孔（６）に押え込み用小ボルト（１０）をねじ込んで、２本の釘を下方に強く押下げて、その先端の楔部の切刃（９）をボルト孔の入口角部に喰い込ませて、頭付ボルトを上部材に結合させるようにした頭付ボルトの緩み止めの構造。
【請求項２】
請求項１に記載の頭付ボルトの緩み止めの構造において、ボルト頭部（２）と押え込み用小ボルト（１０）の間に歯付き座金（１４）を介在させて、その歯付き座金の２個の小孔（１６）に２本の釘（７）を貫通させて、ボルト頭部との間の廻り止めを行い、押え込み用小ボルトをねじ込むことにより、２本の釘の切刃（９）を上部材（１７）のボルト孔（１８）の入口角部（１９）に喰い込ませた後、その歯付き座金の歯（１５）を押え込み用小ボルトの鍔部（１２）の外周の切込み溝（１３）に折り曲げ、噛合させることにより押え込み用小ボルトの戻り回転を阻止しうるようにした頭付ボルトの緩み止めの構造。
【発明の詳細な説明】
【技術分野】
【０００１】  本発明は並目、細目等の頭付ボルトの緩み止めを行う方法である。
【背景技術】
【０００２】  頭付ボルトの緩み止めの方法としては座金を上部材に固定し、この座金を折り曲げる等の方法によりボルトの頭の回転を阻止するものがあるが、締付けた時の頭の角度によっては確実に回り止めを行うことが困難なこともある。
【発明の開示】
【発明が解決しようとする課題】
【０００３】  頭付ボルトをねじ込んだとき、振動等により生じる緩みを確実に、しかも簡単な作業により制止することが必要である。
【課題を解決するための手段】
【０００４】  頭付ボルト１のボルト頭部上面３に上部材１７のボルト孔１８の直径と同寸法の円形の罫描線を描き、この線上の１８０°相対する２ケ所の位置よりボルト頭部２を貫通して、そのボルト頭部下面４より少く深くまで垂直に２本の錐孔５を穿孔しておき、頭付ボルトを上部材１７のボルト孔１８を通して、下部材２０にねじ込んだ後、この２本の錐孔を通して上部材のボルト孔の入口角部１９に向って、２本の釘７を挿入し、その釘の先端の楔部８が入口角部１９に接するまで降下させる。【０００５】  次に、ボルト頭部の中央の小ねじ孔６に押え込み用小ボルト１０をねじ込んで、２本の釘を下方に強く押下げて、その先端の楔部の切刃９をボルト孔の入口角部に喰い込ませて、頭付ボルトを上部材に結合させるようにすることにより、頭付ボルトの緩みを止めることができる。【０００６】  ボルト頭部２と押え込み用小ボルト１０の間に歯付き座金１４を介在させて、その歯付き座金の２個の小孔１６に２本の釘７を貫通させて、ボルト頭部との間の廻り止めを行い、又歯付き座金の歯１５を押え込み用小ボルトの鍔部１２の外周の切込み溝１３に折り曲げて噛合せることにより、押え込み用ボルトの戻り回転を阻止するようにする。
【発明の効果】
【０００７】  本発明の実施により頭付ボルトを強く締め込んだ後、簡単な方法で確実な緩み止めが可能になる。そして激しい振動にも耐えることが出来るようになる。
【図面の簡単な説明】
【０００８】
【図１】本発明の実施形態の一例として、頭付ボルトをねじ込んだ後、その頭部より押え込み用ボルトにより釘を押下げた後、歯付き座金で廻り止めした状態の縦断面図
【図２】図１の平面図
【図３】図１の側面図
【図４】図１に示した釘の正面図
【図５】図４の側面図
【図６】本発明の実施形態の一例として、頭付ボルトをねじ込んだ後、その頭部より押え板により釘を押下げた状態の縦断面図
【図７】図６の平面図
【図８】図６の側面図
【発明を実施するための形態】
【０００９】  頭付ボルト１のボルト頭部上面３に上部材１７のボルト孔１８の直径と同寸法の円形の罫描線を描き、この線上の１８０°相対する２ケ所の位置よりボルト頭部２を貫通して、そのボルト頭部下面４より少く深くまで垂直に２本の錐孔５を穿孔しておき、頭付ボルトを上部材１７のボルト孔１８を通して、下部材２０にねじ込んだ後、この２本の錐孔を通して上部材のボルト孔の入口角部１９に向って、２本の釘７を挿入し、その釘の先端楔部８が入口角部１９に接するまで降下させる。
【００１０】  次にボルト頭部の中央の小ねじ孔６に押え込み用小ボルト１０をねじ込んで、２本の釘を下方に強く押下げて、その先端の楔部の切刃９をボルト孔の入口角部に喰い込ませて、頭付ボルトを上部材に結合させるようにすることにより頭付ボルトの緩みを止めることができる、釘の直径は錐穴５に滑合する寸法とし、その先端の楔部の切刃は鋭く、そして焼入しておく。
【００１１】  ボルト頭部２と押え込み用小ボルト１０の間に歯付き座金１４を介在させて、その歯付き座金の２個の小孔１６に２本の釘７を貫通させて、ボルト頭部との間の廻り止めを行い、又歯付き座金の歯１５を押え込み用小ボルトの鍔部１２の外周の切込み溝１３に折り曲げて噛合させることにより、押え込み用ボルトの戻り回転を阻止するようにする。
【００１２】  押え込み用小ボルトは頭付ボルトより浮上ることがないので、２本の釘の先端の楔部の切刃の喰い込みは絶対に緩むことがない、従ってこの頭付ボルトは激しい振動に対しても充分耐えることができる。
【００１３】  又、大きい径の頭付ボルトの緩み止めを行う場合は、２本の釘を押え込み用小ボルト１０で押え込む代りに、図６、図７及び図８に示すように２本のボルト２２により押え板２１を降下させて釘を押し下げ、釘の先端楔部の切刃９をボルト孔の入口角部１９に喰い込ませる、このときは２本のボルトの長方形の共用座金２３の端を折りまげて、そのボルトの廻り止を行うことができる。
【符号の説明】
【００１４】  １・・・頭付ボルト                    ２・・・ボルト頭部
３・・・ボルト頭部上面                ４・・・ボルト頭部下面
５・・・錐孔                          ６・・・ボルト頭部の小ねじ孔
７・・・釘                            ８・・・釘の先端楔部
９・・・先端楔部の切刃              １０・・・押え込み用小ボルト
１１・・・小ボルトの頭部              １２・・・小ボルトの鍔部
１３・・・鍔部外周の切込み溝          １４・・・歯付き座金
１５・・・歯付き座金の歯              １６・・・歯付き座金の小孔
１７・・・上部材                      １８・・・上部材のボルト孔
１９・・・ボルト孔の入口角部          ２０・・・下部材
２１・・・押え板                      ２２・・・押え板用ボルト
２３・・・長方形の共用座金
【図１】
0006286641.tif 000002
【図２】
0006286641.tif 000003
【図３】
0006286641.tif 000004
【図４】
0006286641.tif 000005
【図５】
0006286641.tif 000006
【図６】
0006286641.tif 000007
【図７】
0006286641.tif 000008
【図８】
0006286641.tif 000009